(57)【要約】【課題】細い糸状の拭材が光ヘッドの移動に対して柔軟性をもってしなやかに接当し、光ヘッドが光ディスク面に極近位置まで接近するタイプの光ディスク装置であっても、擦過清掃時のレンズ面への傷つきや不快な擦過音の発生を防止し、また、拭材自体の損傷も防止し得るようにした光ディスク装置の光ヘッドクリーナを提供する。【解決手段】光ヘッド２の径方向移動範囲内でクリーナ用光ディスク１に小孔１０を穿ち、この小孔１０に糸状拭材５を埋め込んで拭材先端５ａを記録面側へ伸長させた光ディスク装置の光ヘッドクリーナにおいて、小孔１０をディスク裏面１ｂの近傍部位からディスク表面１ａ側へ向けて先拡がり状に開口するようにした。【選択図】  図２
2010009652.tif 000002
【特許請求の範囲】
【請求項１】
光ヘッドの径方向移動範囲内でクリーナ用光ディスクに小孔を穿ち、この小孔に糸状拭材を埋め込んで拭材先端を記録面側へ伸長させた光ディスク装置の光ヘッドクリーナにおいて、前記小孔はディスク裏面近傍部位からディスク表面側へ向けて先拡がり状に開口することを特徴とする光ディスク装置の光ヘッドクリーナ。
【請求項２】
前記糸状拭材は、前記小孔のディスク裏面側位置で該小孔に固着されることを特徴とする請求項１に記載の光ディスク装置の光ヘッドクリーナ。  
【請求項３】
前記糸状拭材は、前記クリーナ用光ディスクの記録面側で前記小孔に対して非拘束とされていることを特徴とする請求項１または２に記載の光ディスク装置の光ヘッドクリーナ。
【発明の詳細な説明】
【技術分野】
【０００１】
本発明は、光記録ディスクや光磁気ディスクなど光ディスクの記録面を走査する光ヘッドのレンズを清掃する光ヘッドクリーナ、特に、光ディスク装置に装填して光ディスク装置を作動させながら光ヘッド先端のピックアップレンズの清掃を行う光ディスク装置の光ヘッドクリーナに関する。
【背景技術】
【０００２】
この種の光ディスクに記録されている音声や画像等のデータの読出し、あるいは光ディスクへのデータ書込み／読出しを行う光ヘッドは、光ディスクの記録領域に対峙する小径のピックアップレンズを備えている。このレンズの表面に埃りや染み等の汚れがあると、作動の際にエラーが発生したり、良好な音声や映像の記録、再生ができなくなるので、定期的に、あるいは必要に応じて随時、レンズ表面を清掃しなければならない。
【０００３】
このピックアップレンズの清掃手段として従来から、糸状の拭材を密に並べてブラシ状とし、これをクリーナ用光ディスクの記録面に垂直に植え込み、このクリーナ用光ディスクを光ディスク装置に装填して該光ディスクを回転動作させ、光ヘッドが前記クリーナ用光ディスク上の糸状拭材位置を通過するときに該拭材でレンズ表面を軽く擦過清掃するという方法がとられている。
【０００４】
この方法を用いた光ヘッド用レンズクリーナとして、特許文献１に示すように、光ディスク表面の記録領域を外れた中心側の環状帯部に傾斜貫通孔を穿孔し、この貫通孔に糸束状の拭材を、先端が記録領域の上方へ傾斜状に伸びるように埋め込んでその基部を固定した構造のものがある。
【０００５】
また他の例として、特許文献２に示すように、クリーナ用光ディスクのトック信号記録領域に貫通孔を穿ち、この貫通孔にバネ性薄板をその周縁部で固着し、前記バネ性薄板の中心部にレンズ清掃用拭材を固着した光ヘッドクリーナが知られている。
【特許文献１】特許第３０１２６３９号公報
【特許文献２】特開２００５−５６４５０号公報
【発明の開示】
【発明が解決しようとする課題】
【０００６】
特許文献１は拭材をディスクの非記録領域に取り付け、そこから拭材先端を記録領域の上方へ斜めに伸ばすようにしたので、記録面全域を例えば清掃メッセージやテスト音等の記録用に使用でき、その点では大きなメリットはあるものの、ディスク面に対して傾斜した貫通孔を明けるのに治具等を用いなければならない不便がある。
【０００７】
また特許文献２では、拭材をバネ性薄板上に支持するため、前記拭材の基部が弾性支持される形態となり、光ヘッドに過大な接触圧がかからず、光ヘッドの傷付き等が防止されるという利点があるが、ブラシ状の拭材をバネ性薄板上に固着し、さらにこの薄板の周部をディスク面に形成した前記貫通孔の内周縁の凹部に固着しなければならないので、組付け工数が増え、その分コスト高になるという問題がある。
【０００８】
また、前述した従来の光ヘッドクリーナで、クリーナ用光ディスクに直接糸状拭材を垂直に埋め込むタイプのものは、糸状拭材を通すディスクの小孔が数本の糸状拭材を通すだけの真直な小さい孔であり、この小孔からディスク面に対し垂直にのびる糸状拭材は、その拭材の根元部が前記小孔の全域に緊密に拘束されるため、どうしても腰が強くなり、拭材先端がレンズ面に強い擦過力で当って傷つきを起したり、ディスク回転に伴って周期的な大きな擦過音が発生するといった問題があった。
【０００９】
特に、近年の高記録密度化に伴って光ヘッドが光ディスク面に対し極近位置まで接近するようになると、ディスク表面から突出する糸状拭材の突出長さが短く、その結果、前記糸状拭材がレンズ面に強い接触圧で当ることになり、それだけ光ヘッドの傷つきの危険性が増す結果となってしまう。また、光ディスクを直接光ディスク装置に挿入するスロットインサートタイプのものでは、光ディスク装置のディスク装入口で糸状拭材がディスク表面の根元部で直角に押し倒される結果となり、前記糸状拭材が元の状態に復帰しずらくなるとともに、拭材自体が損傷するという問題があった。
【００１０】
本発明は、上述の問題を解決すべく、細い糸状の拭材が光ヘッドの移動に対して柔軟性をもってしなやかに接当し、光ヘッドが光ディスク面に極近位置まで接近するタイプの光ディスク装置であっても、擦過清掃時のレンズ面への傷つきや不快な擦過音の発生を防止し、また、拭材自体の損傷も防止し得るようにした光ディスク装置の光ヘッドクリーナを提供することにある。
【００１１】
本発明はまた、クリーナ用光ディスクの小孔の形成、並びに該小孔への糸状拭材の装着が簡単で、製作の容易な光ヘッドクリーナを提供することにある。
【課題を解決するための手段】
【００１２】
本発明の請求項１に係る光ディスク装置の光ヘッドクリーナは、光ヘッドの径方向移動範囲内でクリーナ用光ディスクに小孔を穿ち、この小孔に糸状拭材を埋め込んで拭材先端を記録面側へ伸長させた光ディスク装置の光ヘッドクリーナにおいて、前記小孔をディスク裏面近傍部位からディスク表面側へ向けて先拡がり状に開口させたことを特徴とする。
【００１３】
また、本発明の請求項２に係る光ディスク装置の光ヘッドクリーナは、請求項１に記載の構成において、前記糸状拭材は前記小孔のディスク裏面側位置で該小孔に固着されることを特徴とする。
【００１４】
さらに、本発明の請求項３に係る光ディスク装置の光ヘッドクリーナは、請求項１または２に記載の構成において、前記糸状拭材は、前記クリーナ用光ディスクの記録面側で前記小孔に対して非拘束とされていることを特徴とする。
【発明の効果】
【００１５】
本発明によれば、糸状拭材が埋め込まれる小孔がディスク表面側で大きく開口しているため、クリーナ用光ディスクの回転動作により糸状拭材が光ヘッドと接触したときにも、糸状拭材が前記小孔の内壁に沿って斜め方向に傾倒し、光ヘッドのレンズ面に強く当ることがなく、これによって光ヘッドのレンズ面の傷つきが防止される。
【００１６】
また、本発明の請求項２または３の構成によれば、糸状拭材はクリーナ用ディスクの裏面側で固着されるか、あるいは裏面側の小孔内で固着され、ディスク表面側では小孔に拘束されないので、糸状拭材の固着部分から拭材先端までの可撓性をもつ距離が長く、その分、糸状拭材の柔軟性が高くなり、動作中の光ヘッドと拭材の強い接触による異音の発生も生じない。
【発明を実施するための最良の形態】
【００１７】
次に、本発明による実施形態につき、図面を参照しながら、従来の光ヘッドクリーナと比較しつつ説明する。
図４は従来の光ヘッドクリーナの拭材位置における拡大断面図である。クリーナ用光ディスク１は通常の光ディスクと内外径および厚みとも同じ形態を有し、かつ表面１ａに光ヘッド２によって読取り可能な記録領域が形成されている。この記録領域内でクリーナ用光ディスク１に真直な小孔３が形成され、この小孔３に数本の、例えば２〜４本程度の糸状拭材５の束が埋め込まれている。糸状拭材５はクリーナ用光ディスク１の表面１ａから垂直に上方へ伸長し、クリーニング動作時には前記ディスク１の回転と光ヘッド２の径方向の往復移動により、糸状拭材５の先端５ａで光ヘッド２のレンズ面６を擦って清掃する。
【００１８】
この構造では、小孔３がクリーナ用光ディスク１の板面に対して垂直に形成され、かつ、小孔３の孔径がディスク表裏面側とも糸状拭材５の束を緊密に通し得るだけの孔径であるため、糸状拭材５はディスク表面１ａ側の孔端で拘束される形態となり、糸状拭材５が光ヘッド２に当って撓むときにもディスク表面１ａ側の孔端で鋭角に折れ曲がる傾向となる。このため、光ヘッド２のレンズ面６に糸状拭材５が当る力が強く、レンズ面６を傷つける原因となる。つまり、この構造では、糸状拭材５の可撓長さがディスク表面１ａから糸材先端５ａまでであり、その長さが短いために腰が強くなって、しなやかにレンズ面６を擦過することができない。
【００１９】
図１は本発明の実施形態に係る光ヘッドクリーナの平面図であり、図２は図１のＡ−Ａ線拡大断面図である。この実施形態のクリーナ用光ディスク１は、小孔以外は、図４に示した従来例のクリーナ用光ディスクと同様であり、記録・再生用光ディスクと同じ内外径および厚みを有し、表面１ａには記録領域７が形成されている。８はクリーナ用光ディスク１を光ディスク装置の回転駆動軸（図示省略）に嵌合させるためのディスク中心孔である。クリーナ用光ディスク１の記録領域７に形成される実施形態の小孔１０は、図２に明示するように、クリーナ用光ディスク１の裏面１ｂ側では数本の糸状拭材５が緊密に挿通し得る程度の内径ｄに形成され、この裏面１ｂに露呈した孔端からディスク表面１ａ側へ向けて先拡がり状に孔径が徐々に拡大し、表面１ａに露呈する部分で最大の孔径となっている。
【００２０】
図３は、図２に示す実施形態の小孔部分を拡大して示したクリーナ用光ディスクの部分的な拡大断面図である。小孔１０は、クリーナ用光ディスク１の裏面１ｂに近接した部分で、数本の糸状拭材の束を通し得る程度の、短く真直（ストレート）な小径部（内径）１０ａが形成され、この小径部１０ａに続いてディスク表面１ａ側へ向って先拡がり状の、より具体的には逆円錐形状の大径部（内径）１０ｂが形成されている。前記糸状拭材の束の基端部が小孔１０の前記大径部１０ｂ側からディスク裏面近傍の小径部１０ａへ通され、さらにこの小径部１０ａ内で接着剤により前記糸状拭材の基端部が固着される。
【００２１】
クリーナ用光ディスク１の厚みは通常の光ディスクと同様に１．１９〜１．２１ｍｍであり、小孔１０のディスク裏面１ｂ側の小径部１０ａの内径ｄは約０．３ｍｍ程度、あるいはそれ以下の小孔であり、また小径部１０ａの長さはディスク裏面１ｂからおよそ０．２〜０．５ｍｍ程度である。この小径部１０ａの位置から表面１ａ側へ約６０°〜９０°の角度αで孔径が拡がっている。表面側に露呈した孔端では、孔径が約１．３〜２．２ｍｍ、好ましくは２ｍｍ程度である。この小孔１０に極細の拭糸が数本束状にしてディスク裏面側近傍の小径部１０ａに緊密に挿通され、この小径部位置で接着剤１１（図２）により固着され、この部分を基端部５ｂとして拭材先端５ａがディスク表面１ａ側へ伸長している。この場合、糸状拭材５の基端部５ｂから先端部５ａまでの長さは、約２ｍｍ程度であり、ディスク表面１ａからの糸状拭材５の突出長さは約１．２〜１．５ｍｍ程度である。なお、これらの寸法数値は例示であって、適用する光ディスク装置の種類によっても異なることは勿論である。
【００２２】
このような小孔１０に設けられる糸状拭材５は、その可撓長さがディスク裏面１ｂ側の小孔小径部に固着される基端部５ｂから表面側の拭糸先端５ａまでの長さとなり、糸状拭材５がディスク表面１ａの孔端で拘束される従来のものと比べて可撓部分が長いため、拭材全体、特に先端付近では極めてしなやかで大きな抵抗を与えない。糸状拭材５の先端部分が光ヘッド２に当って側方向に押された場合にも、糸状拭材５は小孔１０の逆円錐形状の先拡がり状の孔壁に沿って図２の破線５ｃで示す如く傾倒する形となり、光ヘッド２のレンズ面６に柔らかく接触する。
【００２３】
本発明に係る光ヘッドクリーナを、例えば車載用の光ディスク装置のように、光ディスクを直接光ディスク装置の装入口に挿入するスロットインサートタイプのものに適用した場合、従来の光ヘッドクリーナでは前記装入口で糸状拭材がディスク表面に直角に折れ曲がるため、このような動作を繰り返すうちに、糸状拭材が損傷したり、拭糸の束状の整列状態がくずれてきたりする。また、前記装入口で糸状拭材が直角に折れ曲がることにより、清掃動作時に元の真直な状態に復元せず、光ヘッドと接触しない場合も生じる。
【００２４】
しかし本発明では、ディスク表面側の小孔１０が大きく開口しているため、スロットインサートタイプの光ディスク装置で挿入時に糸状拭材５が側方へ押された場合であっても、前記拭材５がディスク裏面の基端部５ｂから斜めに曲がるのみで、直角に折れることはなく、清掃開始時には元の状態に戻りやすい。
【００２５】
さらに本発明では、例えばブルーレイ方式の光ディスク装置のように、光ヘッド２が光ディスクの記録面の極近位置まで接近する場合にも、糸状拭材５の固定（拘束）位置が光ヘッド２のレンズ面６より遠くなるため、前記レンズ面６に強く当ることはなく、柔軟でしなやかにレンズ面６を擦るようになる。
【００２６】
また、小孔１０に糸状拭材５を埋め込む場合も、小孔１０の片端が大きく開口しているので、糸状拭材５の小孔１０への挿入が簡単であり、光ヘッドクリーナの製作が容易となる。なお、上述の実施形態では、小孔のディスク裏面側近傍に真直な小径部を形成して、この小径部内で糸状拭材の基端部を接着、固定する形態を示したが、このような真直な小径部を形成せずに、ディスク裏面から直接表面側へ向けて先拡がり状の小孔を形成し、糸状拭材を前記小孔に通してディスク裏面で接着テープその他の接着剤によって糸状拭材を固着するようにしてもよく、このような形態も本発明の範囲に含まれる。
【図面の簡単な説明】
【００２７】
【図１】本発明の実施形態に係る光ヘッドクリーナの平面図である。
【図２】図１のＡ−Ａ線拡大断面図であって、光ヘッドのレンズ面と糸状拭材の位置的関係を示した図である。
【図３】図２に示す実施形態の小孔部分を拡大して示したクリーナ用光ディスクの部分的な拡大断面図である。
【図４】従来の光ヘッドクリーナの部分的な拡大断面図である。
【符号の説明】
【００２８】
１  クリーナ用ディスク
２  光ヘッド
３，１０  小孔
５  糸状拭材
６  レンズ面
１０ａ  小径部
１０ｂ  大径部
【図１】
2010009652.tif 000003
【図２】
2010009652.tif 000004
【図３】
2010009652.tif 000005
【図４】
2010009652.tif 000006